(57)【要約】【課題】端末の小型化を阻害せずに動作状態を表示する。【解決手段】携帯電話は、本体部５０の操作面に複数のキーからなるキー群１６を設ける。本体部５０の内部にはキー群１６の複数のキーバックライトＬＥＤ１７〜３０が設けられる。本体部５０の筐体の側面には、入射する光を拡散可能な材料からなる表示窓部品３４が形成される。キーバックライト用ＬＥＤ１７〜３０のうち表示窓部品３４に近接して位置するキーバックライト用ＬＥＤ２３は、携帯電話の充電・着信の動作状態を表示するための発光にも兼用される。【選択図】図１
2007150549.tif 000002
【特許請求の範囲】
【請求項１】
自己の動作状態を表示する端末であって、
前記端末の筐体の操作面に設けられた複数のキーと、
筐体内部に設けられて前記複数キーのための複数のキーバックライトと、
前記筐体の或る面の一部に設けられて、入射する光を拡散可能な材料からなる窓部とを備えて、
前記複数のキーバックライトのうちの前記或る面の一部に近接したキーバックライトは、前記動作状態を表示するための発光に兼用されることを特徴とする、動作状態を表示する端末。
【請求項２】
前記操作面における前記或る面の一部と連なる部分の面は導光部材からなることを特徴とする、請求項１に記載の動作状態を表示する端末。
【請求項３】
ヒンジ部を介して開閉自在の２つの筐体を備えて、自己の動作状態を表示する端末であって、
一方の筐体において、
当該一方の筐体の操作面に設けられた複数のキーと、
当該一方の筐体内部に設けられて前記複数キーのための複数のキーバックライトと、
当該一方の筐体の或る面の一部に設けられて、前記キーバックライトの入射光を拡散可能な材料からなる窓部と、
前記操作面における前記或る面の一部と連なる導光部材からなる部分の面とを有し、
他方の筐体において、
閉状態において前記一方の筐体の前記操作面と対向する前面、前記前面とは反対側の背面および前記前面と背面をつなぐ側面とを有し、
前記閉状態において前記導光部材からなる部分面と相対する前記前面および前記背面の部分の面ならびに前記前面および前記背面の両方の前記部分の面をつなぐ前記側面の部分面は、入射する光を拡散可能な材料からなり、
前記複数のキーバックライトのうちの前記或る面の一部に近接したキーバックライトは、前記動作状態を表示するための発光に兼用される、動作状態を表示する端末。
【請求項４】
前記近接したキーバックライトはＲ，Ｇ，Ｂの３色のＬＥＤからなる、請求項１または３に記載の動作状態を表示する端末。
【請求項５】
前記複数のキーバックライトのうち前記近接したバックライトを除いたものは単色のＬＥＤからなる、請求項４に記載の動作状態を表示する端末。
【請求項６】
外部操作される複数のキーと、前記複数のキーの背部に設けられて電流が供給されると発光する複数の発光素子とを有する端末の動作状態表示装置であって、
キーバックライトとしての点灯要因発生を検出した場合に、前記複数の発光素子それぞれに対して、キーバックライトの点灯用電流値の電流を供給して発光させるバックライト点灯手段と、
前記端末が所定の動作状態となったことを検出した場合に、前記複数の発光素子のうち所定の発光素子には、前記キーバックライトの点灯用電流値とは異なる電流値の電流を供給する動作状態点灯手段とを備える、端末の動作状態表示装置。
【請求項７】
前記動作状態点灯手段は、前記複数の発光素子のうち前記所定の発光素子を除く他の発光素子への電流供給は停止する、請求項６に記載の端末の動作状態表示装置。
【請求項８】
前記所定の発光素子はＲ，Ｇ，Ｂの３色のＬＥＤからなり、前記複数の発光素子のうち前記所定の発光素子を除く他の発光素子は単色のＬＥＤからなり、
前記バックライト点灯手段は、
前記他の発光素子の前記単色ＬＥＤの発光と同じ色と明るさを示すための前記Ｒ，Ｇ，Ｂの３色の光の混合比を決定する調整信号に基づき、前記所定の発光素子の前記３色のＬＥＤそれぞれへの供給電流値を調整する、請求項６に記載の端末の動作状態表示装置。
【発明の詳細な説明】
【技術分野】
【０００１】
本発明は、動作状態を表示する端末および端末の動作状態表示装置に関し、特に、キーバックライトを利用する動作状態を表示する端末および端末の動作状態表示装置に関する。
【背景技術】
【０００２】
従来の典型的なデジタルカメラ搭載のクラムシェルタイプ携帯電話端末（以下、単に携帯電話という）を図１３（Ａ）と（Ｂ）、および図１４（Ａ）と（Ｂ）に示す。図１３（Ａ）と（Ｂ）では、クラムシェルタイプ携帯電話のクラムシェル閉状態の一例が示される。携帯電話は、ヒンジ部と、２つの筐体を備えて、２つの筐体はヒンジ部を介して開閉自在に接続される。２つの筐体はクラムシェル（２枚貝）の一方の貝殻に対応の筐体である本体部５０と他方の貝殻に対応の筐体であるシェル部４０からなる。
【０００３】
図１３（Ａ）を参照して、シェル部４０と本体部５０とがヒンジ部を介して前面同士を対向させるように閉じ合わされた状態では、シェル部４０の外部に露出した背面（前面とは反対の面）には、サブ液晶ディスプレイ１、サブキー群２、着信・充電表示のためのＬＥＤ（light emitting diode）３が配置されている。サブ液晶ディスプレイ１は、着信または受信メールの有無、日時情報、およびクラムシェル閉状態でカメラ撮影する場合の撮影画像を表示させるのに使われる。また、クラムシェル閉状態のカメラ撮影での操作メニューを表示させたり、受信メール内容を表示させたり、アプリケーション起動時の操作メニューを表示させるために使われる。
【０００４】
サブキー群２は、クラムシェル閉状態で、着信時のオフフック操作、アプリケーション起動時の設定操作、カメラ撮影時の操作などに使用される。
【０００５】
ＬＥＤ３には、色表現が豊富な３色ＬＥＤが使われる。充電時、その動作を表示するのに使われる。充電動作中は赤で点灯し、充電完了で消灯となる。着信、メール受信時、予め指定された色で点滅し、その状態を知らせる。携帯電話が通信中、指定された色で点灯・点滅することで、使用者、第三者にその携帯電話が着信、メール受信動作中であることを知らせる。
【０００６】
ＬＥＤ３は、電池の充電状態表示としては、充電開始時、赤で点灯させて、充電処理が終了すると消灯させるように制御されることで、使用者に電池が満充電となったことを知らせることができる。また、着信時、メール受信時、ユーザが設定した条件で点灯するよう制御される。点灯の設定条件として色と明るさ、点灯パターンを指定できる。点灯パターンとして、点灯動作を着信メロディーと同期して動作させるか、非同期で動作させるか指定することができる。また、時間的に点灯する明るさ、色を変えたりする点灯方法の設定ができる。ＬＥＤ３の３色ＬＥＤは、Ｒ、Ｇ、Ｂの各ＬＥＤの点灯に対して独立にパルス幅変調による点灯制御がおこなわれる。各ＬＥＤの点灯制御のパルス幅変調のデューティ比を変えることで、明るさ、色の設定が可能となる。
【０００７】
図１３（Ｂ）を参照して本体部５０の前面とは反対側の背面には、メインカメラ４、フラッシュライト５、スピーカ６、電池蓋７が配置されている。メインカメラ４は、静止画・動画撮影用に使われる。携帯電話がＴＶ（television）電話機能を有する場合、動画撮影するために使われる。
【０００８】
フラシュライト５は、点灯時に明るく照らすことができるように白色ＬＥＤまたは３色ＬＥＤが使用される。周囲が暗い状態で、カメラ撮影時、フラシュライト５を点灯させることで撮影を可能にする。このようなＬＥＤを用いたフラッシュライト機能を搭載した携帯電話が、たとえば特許文献１に示される。
【０００９】
スピーカ６は、着信時、着信メロディーを再生させたり、またはダウンロードした音楽データを再生させたり、または装着された図示されないにメモリカードに保存された音楽データを再生させる場合、スピーカより音を鳴らすために使われる。
【００１０】
本体部５０の側面には、イヤホンマイクコネクタ８、メモリカード用のコネクタ９、サイドキー１０、共通コネクタ１１が配置されている。
【００１１】
イヤホンマイクコネクタ８は、イヤホンマイクを接続するためのコネクタであり、コネクタ９は図示のないメモリカードが着脱自在に装着されて、装着されたメモリカードをアクセスするためのコネクタである。サイドキー１０は、クラムシェル閉状態でカメラ撮影モード起動のキー、撮影時のシャッタキーとして使われる。共通コネクタ１１は、携帯電話と外部装置、たとえばパーソナルコンピュータ間でデータ交換を行うため、ＵＳＢ（Universal Serial Bus）に従う通信ケーブルを接続するのに使用されたり、ＡＣ（Alternating Current）アダプタを用いた充電時、ＡＣアダプタを接続するのに使用される。
【００１２】
図１３（Ａ）には、携帯電話のクラムシェル開状態の一例が示される。シェル部４０の前面には、受話口１２、メイン液晶ディスプレイ１３、サブカメラ１４が配置されている。
【００１３】
受話口１２は、音声通話時に受話に利用される。メイン液晶ディスプレイ１３は、携帯電話の動作状態を表示したり、各種設定メニューを表示させたり、動画、静止画を再生させて表示させるときに使用される。サブカメラ１４は、主としてＴＶ電話使用時、自画画像を撮影するために使用される。
【００１４】
本体部５０の前面には、送話口１５、図中では実線の○示す操作指示を与えるために操作されるキー群１６が配置されている。送話口１５は音声通話時、送話に使用される。キー群１６は開状態で各種操作、設定を行うために使われる。本体部５０には、操作面である前面のキー群１６に関連した図中では破線の□で示すキーバックライト用の発光素子であるＬＥＤ１７〜３０が内蔵される。
【００１５】
図１３（Ｂ）には、図１３（Ａ）の矢線Ａ−Ｂ方向の本体部５０の断面構造を用いて、本体部５０に内蔵されるキー基板３２の構成が示される。キー基板３２は本体部５０の前面と平行となるように内蔵されている。キー基板３２の本体部５０の前面と相対する面上にはキーバックライト用ＬＥＤ１７〜３０およびキー群１６の各キーに対応のキースイッチが実装される。さらに、本体部５０にはキー群１６の各キーを形成するためのキーラバー３１が、キー基板３２に平行にキー基板３２と本体部５０の前面との間に挿入される。本体部５０の前面にはキー群１６の各キー位置に対応して該キーが嵌る孔が予め形成されているので、キーラバー３１を本体部５０の内部に挿入することで本体部５０の前面の各孔から各キーが突出する状態となる。
【００１６】
キーラバー３１は導光性の材料たとえばアクリル樹脂からなる。導光性のキーラバー３１は、アクリル樹脂のキーラバー３１の表面に特殊な加工がほどこしてあり、端面より入れた光を均一に面発光させることができる。キーラバー３１の一部であるキー部分はキー群１６の各キーを形成する。キーラバー３１の各キーの領域には該キーに対応の数値などの文字が印刷されており、該キー領域は発光する領域と発光しない領域とからなる。キーラバー３１の背面側（キー基板３２側）のキーバックライト１７〜３０から照射された光は、各キー領域の発光領域において発光して外部に光が照射（漏れる）ことで各キーが光ることになる。
【００１７】
次に上記の構成からなるキーバックライトと充電・着信ＬＥＤの動作について説明をする。
【００１８】
近年の携帯電話の高機能化によるキー群１６を構成するキー数の増大およびメイン液晶ディスプレイ１３の大型化に伴う、キー配置領域の拡大により、キーバックライトを点灯させて、キー群１６の各キーを識別ができるようにするため、キーバックライト数の増大が要求される。
【特許文献１】特開２００３−３３８９７３号公報
【発明の開示】
【発明が解決しようとする課題】
【００１９】
携帯電話で、フラシュライトを着信・充電状態報知のＬＥＤの機能と兼用させる構成が提案されている（たとえば、特許文献１を参照）。上述した携帯電話においても、メインカメラ４とフラシュライト５とをシェル部４０の背面に配置可能な場合には、フラシュライト５にＬＥＤ３の機能を兼用させることで、ＬＥＤ３を設ける必要はなくなって低コスト化が図られる。しかしながら、シェル部４０の背面にメインカメラ４とサブカメラ１４を設けて、当該サブカメラ１４による撮影画像をメイン液晶ディスプレイ１３に表示して、メインカメラ４を撮影用、そしてサブカメラ１４をビュアー用で使用する場合、携帯電話はクラムシェル開状態（図１３（Ａ）参照）で使用されるので、フラシュライト５は、本体部５０の背面に配置されることになる（図１３（Ｂ）参照）。
【００２０】
ここで、本体部５０の背面にメインカメラ４とフラシュライト５が配置されている場合、充電時には携帯電話は本体部５０の背面が充電台と相対するように充電台に配置されたり、机上に置かれて着信などを待受けする場合には、携帯電話は本体部５０の背面が机上面と相対するように机上に配置されるなどの未使用状態では、本体部５０の背面が外部から隠される、すなわちユーザがフラッシュライト５の点灯状態や消灯されたことなど目視で確認きない態様で置かれることが多い。
【００２１】
このためフラシュライト５を着信・充電状態報知のＬＥＤの機能と兼用させたとしても、報知される着信・充電状態を識別し難くい。これを回避するために、フラッシュライト５とは別個に充電・着信動作表示専用にＬＥＤを設ければ部品追加のためコストアップ、さらには実装面積の拡大が要求されて携帯電話の小型化が阻害される。
【００２２】
それゆえにこの発明の目的は、端末の小型化を阻害せずに動作状態を表示する端末および端末の動作状態表示装置を提供することである。
【課題を解決するための手段】
【００２３】
この発明のある局面に従うと、自己の動作状態を表示する端末は、端末の筐体の操作面に設けられた複数のキーと、筐体内部に設けられて複数キーのための複数のキーバックライトと、筐体の或る面の一部に設けられて、入射する光を拡散可能な材料からなる窓部とを備える。複数のキーバックライトのうちの或る面の一部に近接したキーバックライトは、動作状態を表示するための発光に兼用される。
【００２４】
したがって、複数のキーバックライトのうちの一部のライトを、動作状態表示のための発光に兼用されるので、特別に動作状態表示のための部分を設ける必要がなく動作状態表示機能を有するとしても端末の小型化は阻害されない。
【００２５】
また動作状態表示のための発光は、当該発光のキーバックライトに近接の筐体の或る面の窓部に入射すると該窓部で光は拡散するので、外部からでも動作状態を光で確認することができる。
【００２６】
好ましくは、操作面における或る面の一部と連なる部分の面は導光部材からなる。したがって動作状態を表示するための発光は、導光部材に入射して、それに連なる窓部に導かれるので、窓部においては光が集まり拡散する。
【００２７】
この発明の他の局面に従うと、ヒンジ部を介して開閉自在の２つの筐体を備えて、自己の動作状態を表示する端末は、一方の筐体において、当該一方の筐体の操作面に設けられた複数のキーと、当該一方の筐体内部に設けられて複数キーのための複数のキーバックライトと、当該一方の筐体の或る面の一部に設けられて、キーバックライトの入射光を拡散可能な材料からなる窓部と、操作面における或る面の一部と連なる導光部材からなる部分の面とを有する。また、他方の筐体において、閉状態において一方の筐体の操作面と対向する前面、前面とは反対側の背面および前面と背面をつなぐ側面とを有し、閉状態において導光部材からなる部分面と相対する前面および背面の部分の面ならびに前面および背面の両方の部分の面をつなぐ側面の部分面は、入射する光を拡散可能な材料からなる。そして、複数のキーバックライトのうちの或る面の一部に近接したキーバックライトは、動作状態を表示するための発光に兼用される。
【００２８】
したがって、端末が開閉自在の２つの筐体からなり閉状態であっても、その動作状態を表示するためのキーバックライトからの発光は、一方筐体の窓部で外部に導かれると、対向する他方筐体の前面、側面および背面にかけてつらなる部分面に入射して、その部分面で拡散する。その結果、閉状態であったとしても、一方筐体の窓部、他方筐体の側面および背面にかけてつらなる部分面で発光を視認できるから、端末の開閉状態または端末の置かれる向きに制限されることなく、動作状態の確認が可能となる。
【００２９】
好ましくは、近接したキーバックライトはＲ，Ｇ，Ｂの３色のＬＥＤからなる。したがって、表示できる動作状態の種別を３色の光を用いて表示できる。
【００３０】
好ましくは、複数のキーバックライトのうち前記近接したバックライトを除いたものは単色のＬＥＤからなる。したがって、動作状態表示用以外のライトは単色ＬＥＤとすることで、実装面積の増大およびコストの上昇を回避できる。
【００３１】
この発明のさらに他の局面に従うと、外部操作される複数のキーと、複数のキーの背部に設けられて電流が供給されると発光する複数の発光素子とを有する端末の動作状態表示装置は、キーバックライトとしての点灯要因発生を検出した場合に、複数の発光素子それぞれに対して、キーバックライト用電流値の電流を供給して発光させるバックライト点灯手段と、端末が所定の動作状態となったことを検出した場合に、複数の発光素子のうち所定の発光素子には、キーバックライト用電流値とは異なる電流値の電流を供給する動作状態点灯手段とを備える。
【００３２】
したがって、キーバックライトの複数の発光素子のうちの所定の発光素子を、キーバックライトと動作状態の点灯表示のために兼用することができる。
【００３３】
好ましくは、動作状態点灯手段は、複数の発光素子のうち所定の発光素子を除く他の発光素子への電流供給は停止するので、無駄な電力消費を防止できる。
【００３４】
好ましくは、所定の発光素子はＲ，Ｇ，Ｂの３色のＬＥＤからなり、複数の発光素子のうち所定の発光素子を除く他の発光素子は単色のＬＥＤからなり、バックライト点灯手段は、他の発光素子の単色ＬＥＤの発光と同じ色と明るさを示すためのＲ，Ｇ，Ｂの３色の光の混合比を決定する調整信号に基づき、所定の発光素子の３色のＬＥＤそれぞれへの供給電流値を調整する。
【００３５】
したがって、所定の発光素子はＲ，Ｇ，Ｂの３色ＬＥＤからなるので、光で表示できる動作状態の種別を複数種類にすることができる。また、３色ＬＥＤを用いたとしてもバックライトとして点灯時には、調整信号により、他の発光素子の単色ＬＥＤの発光と同じ色・明るさを示すＲＧＢの混合比となるように、各ＬＥＤへの供給電流値が調整される。したがって、所定の発光素子が動作状態のために３色ＬＥＤであったとしても、他の発光素子と同様な色と明るさで発光するキーバックライトとして機能させることができる。
【発明を実施するための最良の形態】
【００３６】
以下、図面に基づいて、本発明に係わるキーバックライトと充電動作・着信動作の表示のためのＬＥＤの点灯に関する実施形態を説明する。
【００３７】
ここでは携帯電話に適用しているが、適用される端末は携帯電話に限定されずＰＤＡ（personal digital assistant）であってもよく、また端末は携帯タイプに限定されず固定タイプでもよい。また、キーバックライトを兼用して表示される動作は、着信・充電などの動作に限定されず、アラーム報知の動作、サウンドと連動した光点灯・点滅動作、ゲームの遊戯効果を高めるための点灯・点滅動作などに用いてもよい。
【００３８】
図１（Ａ）〜（Ｃ）には、本発明の実施形態にかかわる携帯電話の構成が示される。図２（Ａ）〜（Ｃ）には、充電・着信表示の識別性をより改善した本発明の実施形態にかかわる携帯電話の概観が示される。本実施の形態でも、シェル部４０と本体部５０をヒンジ部で開閉自在に接続するクラムシェルタイプの携帯電話が示されるが、筐体が３つ以上からなる端末であってもよい。また、たとえば１個の筐体からなら端末であっても、図１（Ａ）の態様を適用することは可能である。
【００３９】
図１（Ａ）にはクラムシェル開状態が示されて、図１（Ｂ）には図１（Ａ）の本体部５０の矢線Ａ−Ｂで切断した場合の本体部５０の内部が示される。図１（Ｃ）には、クラムシェル閉状態の筐体側面が示される。
【００４０】
図１（Ａ）を参照して、本実施の形態の携帯電話の、図３（Ａ）のそれと異なる点は、充電・着信表示用ＬＥＤ３を備えず、かつ充電・着信表示用ＬＥＤ３に代替する機能を備える点にある。当該代替機能を提供するために、本体部５０の側面の一部は、光拡散剤を含んだ樹脂材料からなる表示窓部品３４で形成されて、表示窓部品３４と連なる本体部５０の前面の一部３６（図１（Ｂ）の切欠部を参照）は表示窓部品３４の一部と導光部品３３が嵌るように設けられる。導光部品３３は、アクリル樹脂板の表面に特殊な加工（たとえば、微小の凸凹を設ける）をほどこして、端面より入射した光を均一に面発光させる板状の部材である。表示窓部品３４はキーラバー３１上から本体部５０の前面方向に延びて前面と側面の接点で前面方向に折れて前面の一部３６にまで延びている。したがって一部３６まで延びた表示窓部品３４の部分はキーラバー３１と平行となる。また、キーラバー３１とは別の導光部品３３は、一部３６の切欠部に嵌るように設けられることで当該一部３６にまで延びた表示窓部品３４と接合する。したがって導光部品３３は本体部５０の前面の一部３６においてキーラバー３１と平行になるように保持される。
【００４１】
そして、キーバックライト用ＬＥＤ１７〜３０のうち導光部品３３と表示窓部品３４の近くに、好ましくは最も近くに位置するＬＥＤ（図１（Ａ）の場合にはキーバックライト用ＬＥＤ２３）にＲ，Ｇ，Ｂの３色ＬＥＤが適用される。ここでは他のキーバックライト用ＬＥＤは全て単色ＬＥＤが適用される。
【００４２】
本実施の形態では、キーバックライト用ＬＥＤ２３を３色ＬＥＤとしたが３色ＬＥＤとするキーバックライト用ＬＥＤはこれに限定されない。つまり、導光部品３３と表示窓部品３４を設けることが可能な位置に近接して配置されたキーバックライト用ＬＥＤ、すなわちキー基板３２においては本体部５０の側面寄りに配置されたＬＥＤである、たとえばＬＥＤ２４、２７、２８などを３色ＬＥＤとしてもよい。
【００４３】
本体部５０の導光部品３３および表示窓部品３４を除いた筐体部分は、シェル部４０と同様に、携帯性ゆえに或る程度の強度を有するが導光性は有さない（光を透過しない）樹脂材料から形成されている。導光部品３３および表示窓部品３４はたとえばアクリル樹脂などからなる。また、そこに含まれる光拡散剤はたとえば乳白剤などである。
【００４４】
クラムシェル閉状態から開状態に操作されるなどのキーバックライト点灯要因に基づき、キーバックライト用ＬＥＤ１７〜３０が点灯される場合において、キーバックライト用ＬＥＤ２３の３色ＬＥＤは、他のキーバックライト用単色ＬＥＤと同じ色、明るさのＲ、Ｇ、Ｂ混合比となるパルス幅変調のデューティ比で点灯制御されて、キーバックライトとして使用される。このような３色ＬＥＤの点灯制御は、本出願人による前述の特許文献１に説明がある。このとき、他のキーバックライト用単色ＬＥＤも同時に点灯制御される。
【００４５】
キーバックライトとして３色ＬＥＤおよび単色ＬＥＤを点灯させたとき、各ＬＥＤから出射した光は、キーラバー３１の背面からキーラバー３１を照射する。キーラバー３１の背面からの照射光はキーラバー３１自体を介して有効に導かれる。したがって、キーラバー３１の主面上のキー群１６の各キー部分は発光領域から照射される光により発光する。
【００４６】
充電動作状態表示または着信表示の場合、キーバックライト用ＬＥＤ１７〜３０のうちキーバックライト用ＬＥＤ２３の３色ＬＥＤのみが、各種動作状態に応じて、予め設定された明るさ、およびＲ、Ｇ、Ｂの混合比に基づき、点灯制御される。他のキーバックライト用ＬＥＤは点灯しない。キーバックライト用ＬＥＤ２３から照射された光は、キーラバー３１を介して直進して本体部５０の前面部の導光部品３３に入射するので導光部品３３は面発光する。導光部品３３からの発光は本体部５０の筐体側壁に設けられた光拡散剤入り表示窓部品３４に入射して、入射した光は表示窓部品３４の光拡散剤の効果により外部にも有効に拡散（照射）される。
【００４７】
したがって、図１（Ａ）のクラムシェル開状態および図１（Ｃ）のクラムシェル閉状態のいずれの使用状態であっても、ユーザは、表示窓部品３４を介して、充電動作状態表示時または着信表示時に応じた発光を確認することができる。充電時は、本体部５０の背面は充電ユニットで隠れるケースがあるが、側壁は充電ユニットから携帯電話を取出すために露出していることが多いから、充電中の着信や充電完了などを、表示窓部品３４を介した発光により報知することができる。
【００４８】
図１（Ａ）〜（Ｃ）では本体部５０にのみ表示窓部品３４を設けたが、シェル部４０にも同様のものを設けるようにしてもよい。図２（Ａ）〜（Ｃ）に示すように、シェル部４０の筐体の前面、背面および側面のそれぞれ一部分を、各部分が一体的に連続するように、表示窓部品３４と同じ光拡散剤入りの材料からなる表示窓部品３５で形成する。
【００４９】
このような構成とすることで、図２（Ｂ）に示されるようにクラムシェル閉状態でシェル部４０の背面を上にして机上などに置かれて着信待受けする、または充電状態にある場合でも、キーバックライト用ＬＥＤ２３の光は導光部品３３を介して表示窓部品３５に入射して、その光拡散剤により、シェル部４０の前面の表示窓部品３５において外部に発光させることができる。また、図２（Ｃ）のようにシェル部４０の側面の表示窓部品３５を介しても外部に発光させることができる。したがって、表示窓部品３４と表示窓部品３５の両方を備えることで、キーバックライト用ＬＥＤ２３の点灯状態の識別がより容易になる。
【００５０】
したがって、閉状態において表示窓部品３４と相対するシェル部４０の前面および背面の部分の面ならびに当該前面および当該背面の両方の部分の面をつなぐ側面の部分面は、これら部分面を連ねる表示窓部品３５で形成されるので、閉状態であっても表示窓部品３５でキーバックライト用ＬＥＤ２３の発光を外部に示すことができる。
【００５１】
上述の例では、表示窓部品３４と導光部品３３とを設けたが、導光部品３３を設けず表示窓部品３４のみを設けても良い。図３（Ａ）〜（Ｃ）および図４（Ａ）〜（Ｃ）に示すように、表示窓部品３４はキーラバー３１上から本体部５０の前面方向に延びて前面と側面の接点で前面方向に折れて前面の一部３６にまで延びている。したがって一部３６まで延びた表示窓部品３４の部分はキーラバー３１と平行となる。表示窓部品３４は一部３６の切欠部に嵌るように設けられることで当該一部３６にまで延びた表示窓部品３４は本体部５０の前面の一部３６においてキーラバー３１と平行になる。
【００５２】
この状態において、キーバックライト用ＬＥＤ２３から照射された光は、キーラバー３１を介して本体部５０の前面部の表示窓部品３４に入射する。表示窓部品３４では入射した光は効果的に拡散されて、拡散された光の一部は本体部５０の外部に出射される。
【００５３】
次に、携帯電話の内部の機能構成とライトの点灯制御について説明する。
図５を参照して携帯電話は各部を集中的に制御および管理するためのＣＰＵ（Central Processing Unit）６１、撮影データを含む各種のデータおよびプログラムが格納されているメモリ６２、符号化／復号化回路６３、与えられる画像データＤｉ（ｉ＝１、２、３・・・、ｎ）を一時的に格納するためのメモリ６４０を内蔵するカメラコントローラ６４、カメラコントローラ６４により制御されて、被写体を撮影し、撮影結果得られた被写体の画像データＤｉを出力するＣＣＤ（Charge Coupled Device）またはＣＭＯＳ（Complementary Metal Oxide Semiconductor)などからなるカメラ部６５、ＬＣＤコントローラ６６、ＬＣＤ（Liquid Crystal Display）コントローラ６６により制御されるＬＣＤ部６７、入力部６８、無線通信のための無線系６９およびアンテナ７０、各部に電源を供給するためのシステム電源７１、光源部７２、バッテリ７３、ヒンジセンサ８５、音声入出力部８６および外部Ｉ／Ｆ（インターフェィス）８７を含む。
【００５４】
ＣＰＵ６１は光源部７２の点灯を制御する点灯制御部６１１を有する。点灯制御部６１１はプログラムに相当して、ＣＰＵ６１が当該プログラムをメモリ６２から読出して実行することにより点灯制御部６１による機能が実現される。
【００５５】
メモリ６２には開閉データ６２１およびキーバックライト用ＬＥＤ２３に関する３種のデューティ比データ６２Ａ、６２Ｂおよび６２Ｃが予め格納される。開閉データ６２１は携帯電話が開状態および閉状態のいずれであるかを判断するために参照される。
【００５６】
デューティ比データ６２Ａはキーバックライト用ＬＥＤ１７〜３０を点灯する場合に参照される。デューティ比データ６２Ｂはバッテリ７３の充電時にキーバックライト用ＬＥＤ２３を点灯するのに参照される。デューティ比データ６２Ｃはアンテナ７０および無線系６９を介して着信があった場合にキーバックライト用ＬＥＤ２３を点灯するのに参照される。デューティ比データ６２Ａ、６２Ｂおよび６２Ｃのそれぞれはヘッダ部とデータ部と有して、ヘッダ部には当該デューティ比データの種類、すなわち‘バックライト用’、‘充電用’および‘着信用’の識別子を有し、データ部には予め指定されたデューティ比を示すデータを有する。後述するようにキーバックライト用ＬＥＤ２３への供給電流はパルス幅変調により制御されており、デューティ比データ６２Ａ〜６２Ｃはパルス幅を可変に制御するために参照される。デューティ比データは入力部６８を介したユーザの操作に従い入力する指示に基づき設定される。
【００５７】
ヒンジセンサ８５は携帯電話が折り畳まれているか否かを検出する機能を有する。ヒンジ部内に図示しないヒンジセンサ８５の検出スイッチが設けられており、開閉状態に応じて２値信号がＣＰＵ６１に送られる。ＣＰＵ６１は与えられる信号のレベルをメモリ６２１に格納された開閉データ６２１と比較照合し、その結果に基づき、開状態→閉状態に変化したか、または開状態→閉状態に変化したかを判断する。また与えられた信号レベルに基づき開閉データ６２１を更新する。したがって、メモリ６２の開閉データ６２１は携帯電話の検出スイッチが前回出力した信号のレベル（すなわち携帯電話の前回の状態（開状態または閉状態））を示すように更新される。
【００５８】
入力部６８は、サブキー群２、キー群１６およびサイドキー１０を含む。カメラ部６５はメインカメラ４およびサブカメラ１４を含む。ＬＣＤ６７はサブ液晶ディスプレイ１およびメイン液晶ディスプレイ１３を含む。光源部６２はフラッシュライト５およびキーバックライト用ＬＥＤ１７〜２３を含む。
【００５９】
音声入出力部８６はスピーカ６、受話口１２および送話口１５を含む。外部Ｉ／Ｆ８７は、イヤホンマイクコネクタ８、メモリカード用のコネクタ９および共通コネクタ１１を含む。
【００６０】
符号化／復号化回路６３はアンテナ７０および無線系６９を介して送受信する情報について送信可能なように符号化する機能と受信した情報について内部で処理可能なように復号する機能とを有する。カメラコントローラ６４はカメラ部６５により撮像して逐次出力される画像データＤｉを入力してメモリ６４０に一時的に格納する。一時的に格納される画像データＤｉのうちシャッタキーであるサイドキー１０が押下された時点で格納された画像データＤｉはメモリ６４０から読出されてメモリ６２に最終的に保存される。
【００６１】
ＣＰＵ６１はシステム全体の処理を行う。システム電源７１は充電可能なバッテリ７３により供給される電圧を、各部に対応の所定レベルに調整した後に各部に供給する。光源部７２は、後述するようにＣＰＵ６１から与えられる信号に従い、発光動作する。
【００６２】
図６を参照して、光源部７２はフラッシュライト５に関して昇圧回路７４、赤色の光を出力するＬＥＤ７５、緑色の光を出力するＬＥＤ７６、青色の光を出力するＬＥＤ７７およびＬＥＤ７５〜７７のそれぞれに対応したスイッチ用ＦＥＴ（Field-Effect Transistor）７８〜８０を含む。ＬＥＤ７５〜７７はフラッシュライト５を構成する。昇圧回路７４は、ＣＰＵ６１から与えられる制御信号９３に基づいて、バッテリ７３から供給される電圧をＬＥＤ８５〜８７を駆動するために必要なレベルにまで昇圧した後に出力する。ＣＰＵ６１はシャッタキーであるサイドキー１０が操作されたことを検知すると、応じて制御信号９３を昇圧回路７４に出力する。昇圧回路７４は出力が、与えられる制御信号９３に基づいた一定の電流レベルとなるように、定電流回路およびその電流を制御する機能を有する。昇圧回路７４の出力には、ＬＥＤ８５〜８７が直列に接続され、ＬＥＤ８５〜８７について並列にスイッチング用ＦＥＴ７８〜８０がそれぞれ接続され、ＦＥＴ７８〜８０のそれぞれのゲートには、ＣＰＵ６１から制御信号９２が供給される。制御信号９２によりＦＥＴ７８〜８０のそれぞれのゲートが個別にＯＮ／ＯＦＦ制御されるので、対応のＦＥＴのゲートがＯＮしたＬＥＤは両端が短絡されるため昇圧回路７４からの電流は供給されず、対応のＦＥＴのゲートがＯＦＦしたＬＥＤのみが昇圧回路７４からの電流は順方向に供給されて発光する。したがって、制御信号９２によりＦＥＴ７８〜８０がすべてＯＦＦしたとき、ＬＥＤ８５〜８７は同時に順方向に電流が供給されて発光してフラッシュライト５からは白色の照明光（フラッシュ光）が照射される。
【００６３】
またＦＥＴ７８〜８０をそれぞれパルス状の電圧を加えることでそのパルス幅を変えることでＬＥＤ７５〜７７の発光量を微調することが出来る。
【００６４】
図７では、並列に接続された赤色光を照射するＬＥＤ９５、緑色光を照射するＬＥＤ９６および青色光を照射するＬＥＤ９７からなるキーバックライト用ＬＥＤ２３が示される。ＬＥＤ９５〜９７は図６のようにＦＥＴを用いて直列に接続されてもよい。図７の並列接続の場合には、昇圧回路８４によりバッテリ７３からの供給電圧は所定レベルにまで昇圧されて、その結果、並列接続のＬＥＤ９５〜９７のそれぞれには一端から一定レベルの電流が順方向に供給される。ＬＥＤ９５〜９７のそれぞれの他端にはパルス幅変調回路（Pulse Width Modulation）９８〜１００がそれぞれ接続されて、ＣＰＵ６１から他端に印加されるパルス信号４１〜４３のそれぞれのパルス幅はＰＷＭ回路９８〜１００のそれぞれにより可変調整される。その結果、ＬＥＤ９５〜９７による赤色、緑色および青色の発光量を印加パルス幅で微調整することができる。
【００６５】
このパルス信号４１〜４３のパルス幅は、デューティ比データ６２Ａ（６２Ｂ、６２Ｃ）に基づくＣＰＵ６１からの調整信号４１１〜４１３により可変に調整される。したがって、キーバックライト用ＬＥＤ２３の３色ＬＥＤ９５〜９７の発光による明るさとＲ、Ｇ、Ｂの光の色の混合比とは、デューティ比データ６２Ａ（６２Ｂ、６２Ｃ）により調整することができる。キーバックライト点灯時には、３色のＬＥＤ９５〜９７のそれぞれのＰＷＭ回路９８〜１００には、キーバックライト用ＬＥＤ２３が他のキーバックライト用ＬＥＤと同じ色・明るさの光を発光するために、Ｒ，Ｇ，Ｂの３色の光の混合比を決定する調整信号４１１〜４１３が与えられる。
【００６６】
ＣＰＵ６１は、キーバックライト用ＬＥＤ２３の点灯要因が発生したことを外部からの割込信号を検出することで認識し、検出した割込信号の種別に基づきキーバックライト用ＬＥＤ２３を点灯制御する。ここでは、キーバックライト用ＬＥＤ２３を点灯させる要因は、閉状態→開状態への変化、充電の開始、および呼出の着信とする。点灯の要因はこれらに限定されず、たとえばキー群１６の操作の開始であってもよい。
【００６７】
点灯の要因はこれらに限定されず、たとえばキー群１６の操作の開始であってもよい。ＣＰＵ６１によるキー操作開始の確認は次のような手順で行なわれる。ここでは、説明を簡単にするために、図１２に示すキー群１６に３×５（３行５列）の配置の１５個のキーを有する端末を例示して説明する。キー群１６の各キーは２個の端子を有するスイッチキーである。
【００６８】
図１２を参照して、キー群１６の各行のキーの一方の端子にはＦＥＴ（Field Effect Transistor）５１、ＦＥＴ５２およびＦＥＴ５３が接続されている。ＦＥＴ５１〜５３は、ＦＥＴ制御設定信号５８に基づきＦＥＴ制御ブロック５４によりＯＮ/ＯＦＦが制御されて、初期状態ではすべてＯＮされている。
【００６９】
各行のキーの他方の端子には信号ラインＬ１〜信号ラインＬ５それぞれの一端が接続される。信号ラインＬ１〜信号ラインＬ５はプルアップ抵抗Ｒを介してプルアップ用電源５５を用いてプルアップされている。信号ラインＬ１〜信号ラインＬ５それぞれの他端には、信号ライン状態モニタブロック５７の入力ポートＩ１〜入力ポートＩ５それぞれが接続されている。信号ライン状態モニタブロック５７は入力ポートＩ１〜Ｉ５の電圧値（Ｈｉ，Ｌｏ）をモニタすることにより、信号ラインＩ１〜Ｉ５それぞれの信号ライン状態（電圧値（Ｈｉ，Ｌｏ））を示す信号ライン状態信号５９ＢをＣＰＵ６１に出力する。したがって、ＣＰＵ６１は、信号ライン状態信号５９Ｂに基づき各信号ラインの状態を判定することができる。なお、信号ラインＩ１〜Ｉ５それぞれの信号ライン状態は電圧値（Ｈｉ，Ｌｏ）で示される。初期状態において、ある信号ラインに接続されたキーが押下（操作）されると当該キースイッチの両端子間は短絡するので当該信号ラインの状態は電圧値がレベルＬｏとなるが、押下（操作）されない場合にはＨｉを示す。
【００７０】
動作を説明する。まず、ユーザのキー操作により、信号ラインＩ１〜Ｉ５を接続する入力ポートＩ１〜入力ポートＩ５のいずれかの電圧値がレベルＨｉからＬｏに変化すると、当該変化を信号ライン状態モニタブロック５７が検出して、信号ライン状態モニタブロック５７内に設けられたキー割込信号発生ブロック５６は、キー押し割込信号５９Ａを発生させて、発生させたキー押し割込み信号５９ＡをＣＰＵ６１に出力する。ＣＰＵ６１は、キー押し割込み信号５９Ａを入力すると、キー群１６のキー押しがあったことを検出する。
【００７１】
ＣＰＵ６１Ａは、キー押し割込信号５９Ａによりキー押しがあったことを検出すると、ＦＥＴ制御ブロック５４にＦＥＴ５１〜５３を制御するためのＦＥＴ制御設定信号５８を出力する。ＦＥＴ制御ブロック５４は入力したＦＥＴ制御設定信号５８に基づき、ＦＥＴ５１をＯＮし、ＦＥＴ５２およびＦＥＴ３をＯＦＦするように制御する。このとき、ＣＰＵ６１は、与えられる信号ライン状態信号５９Ｂに基づき、入力ポートＩ１〜Ｉ５の電圧値を検出する。
【００７２】
次のＦＥＴ制御設定信号５８が与えられることで、同様にしてＦＥＴ５２はＯＮ、ＦＥＴ５１およびＦＥＴ５３はＯＦＦするように制御されて、ＣＰＵ６１は、そのとき入力する信号ライン状態信号５９Ｂに基づき入力ポートＩ１〜Ｉ５の電圧値を検出する。
【００７３】
そして次のＦＥＴ制御設定信号５８が与えられることで、同様にしてＦＥＴ５３はＯＮ、ＦＥＴ５１およびＦＥＴ５２はＯＦＦするように制御されて、ＣＰＵ６１は、そのとき入力する信号ライン状態信号５９Ｂに基づき入力ポートＩ１〜Ｉ５の電圧値を検出する。
【００７４】
以上の操作により、ＣＰＵ６１はＦＥＴ制御設定信号５８を順次に出力しながら、各ＦＥＴ制御設定信号５８による制御結果を示す各信号ライン状態信号５９Ｂに基づき、どのキーが押されたかを判定することができる。
【００７５】
押されたキーの種類を判定した後、ＣＰＵ６１はＦＥＴ制御設定信号５８を出力して、ＦＥＴ５１〜ＦＥＴ５３をすべてＯＮに戻し（初期状態に設定し）、引続き、次のキー押しの判定を行なう。
【００７６】
具体例としてキー群１６の「１」キーが押された場合について説明する。このとき、信号ラインＬ２のみがレベルＬｏに変化して、キー割込信号５９Ａが発生する。このキー割込信号５９Ａを入力したことに応じて、ＣＰＵ６１はキー押しがあったことを検出する。ＣＰＵ６１はキー押しがあったことを検出すると、ＦＥＴ制御設定信号５８を出力して、ＦＥＴ制御ブロック５４を介してＦＥＴ５１をＯＮ、ＦＥＴ５２およびＦＥＴ５３をＯＦＦして、入力ポートＩ１〜Ｉ５の電圧値の変化を信号ライン状態信号５９Ｂに基づき検出する。この場合、入力ポートＩ２がレベルＬｏであり、その他の入力ポートはレベルＨｉであることを検出するので、ＣＰＵ６１は検出結果に基づき「１」キーが押されたことを判定する。
【００７７】
また、ＦＥＴ制御設定信号５８を出力してＦＥＴ５１をＯＮ、ＦＥＴ５２およびＦＥＴ５３をＯＦＦすると、入力ポートＩ１〜Ｉ５の電圧値は、すべてレベルＨｉと検出され、同様にＦＥＴ制御設定信号５８を出力してＦＥＴ５２をＯＮおよびＦＥＴ５１ならびにＦＥＴ５３をＯＦＦすると、入力ポートＩ１〜Ｉ５の電圧値はすべてレベルＨｉと検出される。その検出結果に基づき、ＣＰＵ６１はキー群１６の他のキーは押されていないことを判定することができる。
【００７８】
以上の操作により、キー押し割込信号５９Ａが発生後、どのキーが押されたかを認識した後、ＣＰＵ６１はユーザ設定に従い、キーバックライト点灯制御を行なう。
【００７９】
点灯要因である閉状態→開状態への変化は次のように判定される。つまり、ＣＰＵ６１は与えられるヒンジセンサ８５の検出スイッチの信号レベルと開閉データ６２１とを比較して、比較結果に基づき、閉状態→開状態の変化があったと判定する。
【００８０】
充電の開始は次のように判定される。ＣＰＵ６１はバッテリ７３の残量レベルを検知する機能を有する。また、メモリ６２には充電完了時のバッテリ７３の残量レベル指示する所定レベルデータ（図示せず）が予め格納されている。外部Ｉ／Ｆ８７は共通コネクタ１１に充電のためのＡＣアダプタが接続されたことを検知すると、充電開始を示す信号をＣＰＵ６１に与える。ＣＰＵ６１は充電開始信号が与えられたことに応じて充電開始を判定する。充電期間中は、ＡＣアダプタを介して図示のない商用電源からの電力供給が継続するのでＣＰＵ６１はバッテリ７３の残量レベルが上昇するのを検知する。ＣＰＵ６１は残量レベルが上昇する期間は充電状態であると判定する。充電状態において、ＣＰＵ６１はバッテリ７３の残量レベルとメモリ６２の所定レベルデータが指示するレベルとを比較して、比較結果に基づき残量レベルが所定レベル以上になったことを判定すると、充電終了と判定する。または、充電状態において、外部Ｉ／Ｆ８７からＡＣアダプタが取外されたことを指示する信号を入力すると、応じて充電終了と判定する。
【００８１】
着信の有無は次のように判定される。ＣＰＵ６１はアンテナ７０、無線系６９および符号化／復号化回路６３を介して呼出の着信を検知する。ＣＰＵ６１は、呼出の着信に応じて、ユーザが入力部６８を介してオフフック操作したこと、または呼出の着信が途絶えたことも検知する。
【００８２】
図８〜図１１のフローチャートに従い、点灯制御部６１１は、キーバックライト用ＬＥＤ２３の点灯制御について説明する。これらフローチャートに従うプログラムは予めメモリ６２に格納されており、ＣＰＵ６１が当該プログラムをメモリ６２から読出し実行することで点灯制御機能が実現される。
【００８３】
まず、ＣＰＵ６１は点灯要因となる外部からの割込みの有無を常時検知している（ステップＳ（以下、単にＳという）１）。検知されない間は（Ｓ１でＮＯ）、Ｓ１の処理を繰返す。割込みを検知すると（Ｓ１でＹＥＳ）、上述したように検知された割込みは、閉状態→開状態の変化を指すと判定した場合は（Ｓ３でＹＥＳ）、バックライト点灯制御のルーチンを起動する（Ｓ９）が、そうでない場合は（Ｓ３でＮＯ）、割込みは充電開始を指すか判定する（Ｓ５）。充電開始を指示すると判定すると（Ｓ５でＹＥＳ）、充電点灯制御のルーチンを起動する（Ｓ１１）が、そうでない場合は（Ｓ５でＮＯ）、割込みは着信有りを指すか判定する（Ｓ７）。着信有りを指すと判定すると（Ｓ７でＹＥＳ）、着信点灯制御ルーチンを起動する（Ｓ１３）。着信有りではないと判定すると（Ｓ７でＮＯ）、Ｓ１の処理に戻る。なお、ここでは、説明を簡単にするために、バックライト点灯制御ルーチン（Ｓ９）、充電点灯制御ルーチン（Ｓ１１）および着信点灯制御ルーチン（Ｓ１３）それぞれの処理を実行中は、点灯制御ルーチン起動のための割込みは生じないと想定する。
【００８４】
図９を参照して、バックライト点灯制御ルーチンでは、まず、ＣＰＵ６１はメモリ６２において、そのヘッダ部の識別子に基づきバックライト用のデューティ比データ６２Ａを特定して、そのデータ部からデューティ比データを読出す（Ｓ２１）。そして、読出したデューティ比データに基づき調整信号４１１、４１２、４１３を生成して、所定周期・所定パルス幅のパルス信号４１、４２、４３を光源部２３（図７参照）のキーバックライト用ＬＥＤ２３に出力する。このとき、他のキーバックライト用ＬＥＤについても点灯させるための制御信号が出力される（Ｓ２３）。
【００８５】
調整信号４１１、４１２、４１３はＰＷＭ回路９８、９９、１００のそれぞれに与えられるので、ＰＷＭ回路９８、９９、１００は、与えられた調整信号に基づき、パルス信号４１、４２、４３のパルス幅を調整する。このパルス幅調整により、ＬＥＤ９５、９６、９７に供給される電流が調整される。その結果、供給電流のレベルに従い、キーバックライト用ＬＥＤ２３の発光色・明るさは、他のキーバックライト用ＬＥＤと同じ色（たとえば緑）と明るさになるように調整される。
【００８６】
次に、ＣＰＵ６１はキーバックライトの消灯要因が生じたか否かを判定する（Ｓ２５）。たとえば、ヒンジセンサ８５からの検知信号に基づき開状態→閉状態への変化があったことを判定すると（Ｓ２５でＹＥＳ）、パルス信号４１〜４３および調整信号４１１〜４１３の出力を停止して、キーバックライト用ＬＥＤ２３への供給電流はゼロとなり消灯する（Ｓ２７）。この時点で他のキーバックライト用ＬＥＤへの電流供給も断たれて消灯する。その後、元の処理に戻る。消灯要因が生じない間は（Ｓ２５でＮＯ）、Ｓ２３の信号出力が継続して点灯状態が続く。
【００８７】
なお、キーバックライト用ＬＥＤ１７〜３０は、クラムシェル閉状態から開状態への変化を契機として、使用者が予め設定した点灯条件（点灯時間、明るさ）に従って、点灯するよう制御される。点灯条件はメモリ６２に予め格納される。キーバックライト用ＬＥＤ２３に関しては、当該点灯条件の明るさはデューティ比データ６２Ａで指示される。キーバックライト用ＬＥＤ１７〜３０の点灯は、周囲環境が暗い状態でキー群１６の各キーの識別を補助するものであり、キー操作の誤りを防止するために使われるので、点灯条件の設定は、メイン液晶ディスプレイ１３のバックライトの点灯とは独立に設定できる。上述の消灯要因（Ｓ２５）に関しては、ＣＰＵ６１が、点灯条件が指す点灯時間が経過したことを、内蔵するタイマ（図示せず）を用いて検出した時点で、消灯要因が生じたと判定することもできる。また、キー群１６の各キーを十分に識別できるような、周囲環境が明るい状態では点灯時間を０秒と設定することで、キーバックライト用ＬＥＤ１７〜３０の点灯は禁止されて、キーバックライト用ＬＥＤ１７〜３０にかかる消費電流を削減し、携帯電話自体の低消費電力化を図るようにしてもよい。
【００８８】
なお、キーバックライト用ＬＥＤ２３を除く他のキーバックライト用ＬＥＤ１７〜３０の点灯制御もパルス幅変調を用いて行われる場合には、パルス幅変調のデューティ比を変えることで、点灯時の明るさを設定することができる。
【００８９】
図１０を参照して、充電点灯制御ルーチンでは、まず、ＣＰＵ６１はメモリ６２において、そのヘッダ部の識別子に基づき充電用のデューティ比データ６２Ｂを特定して、そのデータ部からデューティ比データを読出す（Ｓ３１）。そして、読出したデューティ比データに基づき調整信号４１１、４１２、４１３を生成して、所定周期・所定パルス幅のパルス信号４１、４２、４３を光源部２３（図７参照）のキーバックライト用ＬＥＤ２３に出力する（Ｓ３３）。
【００９０】
調整信号４１１、４１２、４１３はＰＷＭ回路９８、９９、１００のそれぞれに与えられるので、ＰＷＭ回路９８、９９、１００は、与えられた調整信号に基づき、パルス信号４１、４２、４３のパルス幅を調整する。このパルス幅調整により、ＬＥＤ９５、９６、９７に供給される電流レベルが決定される。したがって、キーバックライト用ＬＥＤ２３からの発光色・明るさは、充電状態を報知するための色（たとえば赤）と明るさになるように、かつ点灯状態が継続するように調整される。このとき他のキーバックライト用ＬＥＤは電流が供給されないので点灯しない（消灯したまま）。
【００９１】
次に、ＣＰＵ６１は充電終了であるか否かを上述のように残量レベルに基づき、またはＡＣアダプタの取外しにより判定する（Ｓ３５）。充電終了であると判定すると（Ｓ３５でＹＥＳ）、パルス信号４１〜４３および調整信号４１１〜４１３の出力を停止してキーバックライト用ＬＥＤ２３への供給電流をゼロとする（Ｓ２７）。これにより、キーバックライト用ＬＥＤ２３は消灯する。その後、元の処理に戻る。充電終了と判定されない間は（Ｓ３５でＮＯ）、Ｓ３３の信号出力が継続して点灯状態が続く。
【００９２】
図１１を参照して、着信点灯制御ルーチンでは、まず、ＣＰＵ６１はメモリ６２において、そのヘッダ部の識別子に基づき着信用のデューティ比データ６２Ｃを特定して、そのデータ部からデューティ比データを読出す（Ｓ４１）。そして、読出したデューティ比データに基づき調整信号４１１、４１２、４１３を生成して、所定周期・所定パルス幅のパルス信号４１、４２、４３を光源部２３（図７参照）のキーバックライト用ＬＥＤ２３に出力する（Ｓ４３）。
【００９３】
生成された調整信号４１１、４１２、４１３はＰＷＭ回路９８、９９、１００のそれぞれに与えられるので、ＰＷＭ回路９８、９９、１００は、与えられた調整信号に基づき、入力するパルス信号４１、４２、４３のパルス幅を調整する。このパルス幅調整により、ＬＥＤ９５、９６、９７に供給される電流値が決定される。与えられる電流値に従うＬＥＤ９５、９６、９７からの発光量は、キーバックライト用ＬＥＤ２３の発光色・明るさが、着信を報知するための色（たとえば緑）と明るさになる。ここでは、キーバックライトとの区別のためにたとえばパルス周期を用いて短い周期で点灯と消灯を繰返すように調整される。このとき他のキーバックライト用ＬＥＤは電流が供給されないので点灯しない（消灯したまま）。
【００９４】
次に、ＣＰＵ６１はオフフック操作（受話器を挙げることに相当するキー操作）がされたか、または着信が途絶えたかを判定する（Ｓ４５）。そうでなければ（Ｓ４５でＮＯ）、Ｓ４３の処理が繰返されるが、オフフック操作されたまたは着信が絶えたと判定されると（Ｓ４５でＹＥＳ）、パルス信号４１〜４３および調整信号４１１〜４１３の出力を停止する（Ｓ４７）。これにより、キーバックライト用ＬＥＤ２３は消灯する。その後、元の処理に戻る。
【００９５】
以上説明したように、キーバックライト用ＬＥＤ２３からの発光は導光部品３３または表示窓部品３４を介して有効に外部に照射されるので、携帯電話が末使用状態で机上などに置かれた場合であっつても、充電・着信の別を識別して報知できる。
【００９６】
また、キーバックライト用ＬＥＤ１７〜３０の１つであるキーバックライト用ＬＥＤ２３を充電・着信等の動作状態報知（表示）用のＬＥＤとして兼用させることで、コストダウン、小型化が図れる。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９８】
【図１】（Ａ）〜（Ｃ）は本実施の形態に係るクラムシェルタイプ携帯電話の開と閉の状態での構成例を示す図である。
【図２】（Ａ）〜（Ｃ）は本実施の形態に係るクラムシェルタイプ携帯電話の開と閉の状態での他の構成例を示す図である。
【図３】（Ａ）〜（Ｃ）は本実施の形態に係るクラムシェルタイプ携帯電話の開と閉の状態でのさらなる他の構成を示す図である。
【図４】（Ａ）〜（Ｃ）は本実施の形態に係るクラムシェルタイプ携帯電話の開と閉の状態でのさらなる他の構成を示す図である。
【図５】本実施の形態に係る携帯電話の機能構成図である。
【図６】本実施の形態に係るフラッシュライトとその周辺の構成図である。
【図７】本実施の形態に係るキーバックライト用ＬＥＤとその周辺の構成図である。
【図８】本実施の形態に係る制御フローチャートである。
【図９】本実施の形態に係るバックライト点灯制御のフローチャートである。
【図１０】本実施の形態に係る充電点灯制御のフローチャートである。
【図１１】本実施の形態に係る着信点灯制御のフローチャートである。
【図１２】本実施の形態に係るキー操作開始を検出するためのブロック図である。
【図１３】（Ａ）と（Ｂ）は従来のクラムシェルタイプ携帯電話の閉状態での構成を示す図である。
【図１４】（Ａ）と（Ｂ）は従来のクラムシェルタイプ携帯電話の開状態での構成を示す図である。
【符号の説明】
【００９９】
１６  キー群、１７〜３０  キーバックライト用ＬＥＤ、３１  キーラバー、３２  キー基板、３３  導光部品、３４  表示窓部品、３５  表示窓部品。
【図１】
2007150549.tif 000003
【図２】
2007150549.tif 000004
【図３】
2007150549.tif 000005
【図４】
2007150549.tif 000006
【図５】
2007150549.tif 000007
【図６】
2007150549.tif 000008
【図７】
2007150549.tif 000009
【図８】
2007150549.tif 000010
【図９】
2007150549.tif 000011
【図１０】
2007150549.tif 000012
【図１１】
2007150549.tif 000013
【図１２】
2007150549.tif 000014
【図１３】
2007150549.tif 000015
【図１４】
2007150549.tif 000016